(57)【要約】【課題】手術が簡単、容易で、傷口を小さくでき、隣接する二つの脊椎の椎体の安定性を有効に高めることができる椎間関節の安定手段を提供することを課題とする。【解決手段】片体であって、二つの側面に一つ、或いは複数の突起を凸出し、片体の長手方向の辺が椎間関節面の椎間孔に挿入され、関節面の両側に当接して固定し、突起が片体と椎間孔に緊密に当接して固定されることを特徴とする椎間関節の安定手段。【選択図】  図１
2010115477.tif 000002
【特許請求の範囲】
【請求項１】
片体であって、二つの側面に一つ、或いは複数の突起を凸出し、片体の長手方向の辺が椎間関節の椎間孔に挿入され、椎間関節の両側に当接して固定し、突起が片体と椎間孔に緊密に当接して固定されることを特徴とする椎間関節の安定手段。
【請求項２】
前記片体が、表面に複数の孔を穿設することを特徴とする請求項１に記載の椎間関節の安定手段。
【請求項３】
前記片体が、複数の曲折部を具えた非直線の片体であることを特徴とする請求項１に記載の椎間関節の安定手段
【請求項４】
前記片体が、両端縁部に形成された湾曲部と片体とが角度を形成することを特徴とする請求項１に記載の椎間関節の安定手段
【請求項５】
前記片体が、両端縁部に形成された湾曲部と片体とがＴ字状を呈して接触して延伸することを特徴とする請求項１に記載の椎間関節の安定手段。
【請求項６】
前記片体が、中心部と二つの側部とを具えてなり、該中心部がネジ孔を設けてなり、外側表面にはいずれも一つ、或いは複数の突起が凸設し、片体が椎間関節の椎間孔に当接して固定されることを特徴とする請求項１に記載の椎間関節の安定手段。
【請求項７】
前記片体の中心部のネジ孔が、ブリッジを設けて固定され、椎間関節の椎間孔の両側の椎体上を跨いで接続し、椎間関節と片体とが固定されることを特徴とする請求項１に記載の椎間関節の安定手段。
【請求項８】
前記片体の中心部と側部とが分離し、中心部を椎間孔に挿入した後、側部が中心部両側の椎間孔に挿入され、中心部を固定することを特徴とする請求項１に記載の椎間関節の安定手段。
【請求項９】
前記片体の中心部と側部が中心軸に互いに軸接し、片体を椎間関節の椎間孔に植え込んだ後、中心部が軸回転することができ、中心部上の突起が椎間孔両側の椎体に係合することができることを特徴とする請求項１に記載の椎間関節の安定手段。
【発明の詳細な説明】
【技術分野】
【０００１】
この発明は、椎間関節の安定手段であって、特に椎体と椎体との間に設けて椎間関節を安定させる椎間関節の安定手段に関する。
【背景技術】
【０００２】
従来の脊髄に関する病気の治療において、上下に隣接する二つの脊椎の椎体を融合して一体に安定する必要がある場合、治療方法はいずれも椎弓根スクリューを椎体に打ち込み、スクリュー、ロッドなどで固定・接続する。
【０００３】
ロッド、スクリューによる方法は上下二つの脊椎の椎骨の骨格の接続を安定して固定することができる。
【０００４】
上述の方法以外では脊椎の椎間板の位置に充填ブロックを埋め込んだ後、一部の椎骨の骨格組織を取り除く。
【０００５】
充填ブロックが接触して刺激するため、上下の脊椎の椎体の骨格組織細胞が充填ブロックの内部に次第に入り込む。
【０００６】
充填ブロックに入り込んだ細胞は充填ブロックで被覆されて一体になる。また、上下脊椎の椎体が融合して安定すると、椎体後方の椎間関節面が融合して安定する。
【０００７】
上述の脊椎の椎体を融合して安定する方法では、病人の背部の脊椎の病気を解決する手術方法がいずれも複雑で、複数の部材を互いに連結した部材を病人の椎骨の関節上に植え込んで病気を治療する必要がある。
【０００８】
或いは、大きく切り開き、深くまで手術する必要がある。背部を直接引き開き、脊椎の椎体に近接する位置に椎弓根スクリュー、或いは充填ブロックを埋め込む。
【０００９】
このように、従来の方法では医師の手術の手順及び切り開く面積において、手術に求められる技術及び注意事項、リスクなどの面がいずれも多いか、高くなる。
【００１０】
しかしながら、病人の脊椎に関する病気の痛みを解決する効果は殆ど高められていない。
【００１１】
よって、複雑な手術の手順や技術、或いは部材などは改善する必要がある。
【発明の開示】
【発明が解決しようとする課題】
【００１２】
この発明は、手術が簡単、容易で、傷口を小さくでき、隣接する二つの脊椎の椎体の安定性を有効に高めることができる椎間関節の安定手段を提供することを課題とする。
【課題を解決するための手段】
【００１３】
そこで、本発明者は従来の技術に見られる欠点に鑑みて鋭意研究を重ねた結果、片体であって、二つの側面に一つ、或いは複数の突起を凸出し、片体の長手方向の辺が椎間関節の椎間孔に挿入され、椎間関節の両側に当接して固定し、突起が片体と椎間孔に緊密に当接して固定される椎間関節の安定手段の構造によって課題を解決できる点に着眼し、かかる知見に基づいて本発明を完成させた。
【００１４】
以下、この発明について具体的に説明する。
請求項１に記載の椎間間接の安定手段は、片体であって、二つの側面に一つ、或いは複数の突起を凸出し、片体の長手方向の辺が椎間関節の椎間孔に挿入され、椎間関節の両側に当接して固定し、突起が片体と椎間孔に緊密に当接して固定される。
【００１５】
請求項２に記載の椎間関節の安定手段は、請求項１における片体が、表面に複数の孔を穿設する。
【００１６】
請求項３に記載の椎間関節の安定手段は、請求項１における片体が、複数の曲折部を具えた非直線の片体である。
【００１７】
請求項４に記載の椎間関節の安定手段は、請求項１における片体が、両端縁部に形成された湾曲部と片体とが角度を形成する。
【００１８】
請求項５に記載の椎間関節の安定手段は、請求項１における片体が、両端縁部に形成された湾曲部と片体とがＴ字状を呈して接触して延伸する。
【００１９】
請求項６に記載の椎間関節の安定手段は、請求項１における片体が、中心部と二つの側部とを具えてなり、該中心部がネジ孔を設けてなり、外側表面にはいずれも一つ、或いは複数の突起が凸設し、片体が椎間関節の椎間孔に当接して固定される。
【００２０】
請求項７に記載の椎間関節の安定手段は、請求項１における片体の中心部のネジ孔が、ブリッジを設けて固定され、椎間関節の椎間孔の両側の椎体上を跨いで接続し、椎間関節と片体とが固定される。
【００２１】
請求項８に記載の椎間関節の安定手段は、請求項１における片体の中心部と側部とが分離し、中心部を椎間孔に挿入した後、側部が中心部両側の椎間孔に挿入され、中心部を固定する。
【００２２】
請求項９に記載の椎間関節の安定手段は、請求項１における片体の中心部と側部が中心軸に互いに軸接し、片体を椎間関節の椎間孔に植え込んだ後、中心部が軸回転し、中心部上の突起が椎間孔両側の椎体に係合することができる。
【発明の効果】
【００２３】
この発明による椎間関節の安定手段は、手術時の患者の負担を軽くし、隣接する脊椎の椎体の安定性を高めるという効果を有する。
【発明を実施するための最良の形態】
【００２４】
この発明は、手術が簡単、容易で、傷口を小さくでき、隣接する二つの脊椎の椎体の安定性を有効に高めることができる椎間関節の安定手段であって、片体であって、二つの側面に一つ、或いは複数の突起を凸出し、片体の長手方向の辺が椎間関節の椎間孔に挿入され、椎間関節の両側に当接して固定し、突起が片体と椎間孔に緊密に当接して固定される椎間関節の安定手段の構造と特徴を詳述するために具体的な実施例を挙げ、図示を参照にして以下に説明する。
【実施例】
【００２５】
図１、図２は、この発明の脊椎の椎間関節の安定手段を示したものである。
【００２６】
図面によれば、安定手段１０は、略四角形を呈する片体１１で、一端縁部に上・下に隣接する椎体２０、２１の椎間関節（Ｆａｃｅｔ  ｊｏｉｎｔ）２２に挿入するために便利なカッター部１１１が設けられ、他端縁部には植え込みのための道具（図示しない）で螺設する方向を制御して使用するために供し、固定ボルト１２（図４参照）が螺接されるネジ孔１１２が設けられる。
【００２７】
片体１１の二つの面である表面１１３と側面１１４上には、先端がとがった複数の突起１１５が凸設され、片体１１を椎間関節の椎間孔２２に挿入する場合の噛み合わせを強化し、確実に固定する。
【００２８】
また、該片体１１上には複数の孔１１６が穿設され、椎体２０、２１の骨格細胞に入り込み、上下の椎体２０、２１を融合、一体にして安定した構造を形成するために便利である。
【００２９】
図３は、椎間関節の安定手段１０の複数の他の実施形態を示したものである。
【００３０】
この発明の安定手段の片体３０は、複数の曲折部３１を具えた非直線の片体３０である。
【００３１】
よって、曲折部３１が形成された位置及び距離には差が生じるため、椎間関節の椎間孔２２の隙間に挿入する場合、緊密性を高めることができる。
【００３２】
また、非直線の片体３０上には先端のとがった突起１１５及び孔１１６（図２参照）を設けて、固定を強化するとともに、骨細胞に入り込み、椎体２０、２１を融合することができる。
【００３３】
椎間関節面の安定手段１０のその他の実施形態では、片体４０の両端縁部に形成された湾曲部４１と片体４０とが角度を形成して接続し、先端の尖った突起が連続した棒状の突起４２に形成される。
【００３４】
片体４０の両端縁部の湾曲部４１と片体とが互いにＴ字状を呈して接触し、延伸し、いずれも椎間関節の椎間孔２２の隙間に挿入する場合の緊密性を高めることができる。
【００３５】
図４は、この発明の椎間関節の安定手段を示したものである。
【００３６】
図面によれば、該安定手段１０の片体１１に形成されたネジ孔１１２は、固定ボルト１２でブリッジ５０を固定するために供する。
【００３７】
片体１１に設けられたブリッジ５０は、椎間関節の椎間孔２２の隙間に挿入した後、上下の椎体２０、２１の椎間関節の椎間孔２２の両端に跨いで接続し、上下の椎体２０、２１をさらに強固に固定することができる（図７参照）。
【００３８】
図５は、この発明の椎間関節の安定手段１０の別の実施形態を示したものである。
【００３９】
図面によれば、安定手段１０の片体６０は、中心部６１と、分離して左右に連なった二つの側部６２とに分けられる。
【００４０】
該中心部６１は、側部６２の厚さに比べて比較的厚く、椎間関節の椎間孔２２の上面に固定して設けられる。
【００４１】
該中心部６１は椎間関節の椎間孔２２に挿入された後、側部６２も中心部６１の両側の椎間関節の椎間孔２２に挿入されて、中心部６１と接続固定され、中心部６１が挿入された位置に固定されることを補助する。
【００４２】
図６は、椎間関節の安定手段１０の別の実施形態を示したものである。
【００４３】
この実施形態では、片体７０の中心部７１と側部７２が中心軸７３と互いに軸接する。
【００４４】
該中心部７１は、外周面に先端が尖った複数の突起７１１を設けてなり、該側部７２には突起７１１に合わせて溝７２１が設けられる。
【００４５】
片体７０を椎間関節の椎間孔２２に挿入した後、中心部７１が対向して軸回転する。
【００４６】
中心部７１上の突起７１１を回転して椎間関節の椎間孔２２の両側の上下の椎体２０、２１の間に係合することができる。
【００４７】
図７は、この発明の椎間関節の安定手段１０を示したものである。
【００４８】
片体１１は対称して使用し（同様の実施形態、或いは異なる実施形態において）、上下の椎体２０、２１の左右両側の椎間関節の椎間孔２２に挿入され、椎体２０、２１の両側が同時に融合して安定する。
【００４９】
しかしながら、椎体２０、２１のどちらか一方の椎間関節の椎間孔２２の中に植え込んで使用してもよい。
【００５０】
椎体２０、２１のどちらか一方に従来の椎弓ボルトを植え込み、それを固定する（図示しない）。
【００５１】
或いは、椎体２０、２１の棘突起２０１、２１１の間に椎間関節面の安定手段１０に合わせて棘突起展開安定手段８０を植え込んで、上下の椎体２０、２１を安定して融合することもできる。２
【００５２】
以上は、この発明の好ましい実施例であって、この発明の実施の範囲を限定するものではない。よって、当業者のなし得る修正、もしくは変更であって、この発明の精神の下においてなされ、この発明に対して均等の効果を有するものは、いずれもこの発明の特許登録請求の範囲に属するものとする。
【図面の簡単な説明】
【００５３】
【図１】この発明の椎間間接の安定手段を示した斜視図である。
【図２】この発明の椎間間接の安定手段を上、下椎体の椎間孔に挿入した状態を示した説明図である。
【図３】この発明の椎間関節の安定手段の他の二つの実施形態を示した斜視図である。
【図４】この発明の椎間関節の安定手段にブリッジを組み合わせる実施形態を示した説明図である。
【図５】この発明の椎間関節の安定手段の中心部と左、右側部とを示した分解図である。
【図６】この発明の椎間関節の安定手段の中心部と側部が対向して軸回転する状態を示した説明図である。
【図７】この発明の椎間関節の安定手段が棘突展開安定手段に接続して椎体上に設けられる状態を示した説明図である。
【符号の説明】
【００５４】
１０        安定手段
１１        片体
１１１       カッター部
１１２       ネジ孔
１１３       表面  
１１４       側面
１１５       突起
１１６       孔
１２        固定ボトル
２０        椎体
２０１       棘突起
２１        椎体
２１１     棘突起
２２      椎間関節面の椎間孔
３０      片体
３１      曲折部
４０      片体
４１      湾曲部
４２      突起
５０      ブリッジ
６０      片体
６１      中心部
６２      側部
７０      片体
７１      中心部
７１１     突起
７２      側部
７２１     溝
７３      中心軸
８０      棘突展開安定手段
【図１】
2010115477.tif 000003
【図２】
2010115477.tif 000004
【図３】
2010115477.tif 000005
【図４】
2010115477.tif 000006
【図５】
2010115477.tif 000007
【図６】
2010115477.tif 000008
【図７】
2010115477.tif 000009